(57)【要約】      （修正有）【課題】簡単な構成で洗浄が容易であり、ゴミが付着しにくく水分が溜まりにくい構造の収納棚とその製造方法を提供する。【解決手段】一対のステンレス板１６に、一辺と平行に切り目１６が各々入れられ、切り目１８の両端部から続いてその切り目１８に対して交差する方向であって両端部同方向に短い切り目２２を有する。切り目１８，２２が、ステンレス板１６に所定間隔で互いに平行に複数形成され、切り目１８，２２で囲まれた部分をその板面に対して直角に内側に折り曲げて、係止縁部２４を形成する。折り曲げられた係止縁部２４を互いに対向させて、所定の下枠１２に固定する。【選択図】        図１
2004194732.tif 000002
【特許請求の範囲】
【請求項１】
一対の矩形の金属板を備え、各々一辺と平行に切り目が入れられ、この切り目の両端部から続いてその切り目に対して交差する方向であって両端部同方向に短い切り目が形成され、この切り目が上記金属板に所定間隔で互いに平行に複数形成され、この切り目で囲まれた上記金属板の部分をその板面に対して直角に内側に折り曲げて係止縁部が形成され、この折り曲げられた係止縁部を互いに対向させて、所定の枠体に上記金属板が固定されてなることを特徴とする収納棚。
【請求項２】
上記金属板の上記切り目に対して直角の一対の側縁部は、各々上記係止縁部に対して反対側に折り曲げられて支柱部を形成して成ることを特徴とする請求項１記載の収納棚。
【請求項３】
一対の矩形の金属板を、各々一辺と平行にレーザー加工機により切り目を入れ、この切り目の両端部から続いてその切り目に対して交差する方向であって両端部同方向に短い切り目を形成し、この切り目を所定間隔で互いに平行に複数形成し、この切り目で囲まれた上記金属板の部分をその板面に対して直角に内側に折り曲げて係止縁部を形成し、この折り曲げた係止縁部を互いに対向させて、所定の枠体上に上記一対の金属板を固定することを特徴とする収納棚の製造方法。
【請求項４】
上記切り目は、長手方向に所定の隙間を空けてスリットを形成するようにレーザー加工機により上記金属板を切断し、上記短い切り目の箇所を往復動して形成することを特徴とする請求項３記載の収納棚。
【発明の詳細な説明】
【０００１】
【発明の属する技術分野】
この発明は、食品や薬品その他種々の材料をトレー等に入れた状態で整列させて収納する収納棚とその製造方法に関する。
【０００２】
【従来の技術】
【特許文献１】特開平１１−１８７９３５号公報
従来、一般に大きなトレーを段々にして収納する収納棚は、断面がＬ字状の鉄製のアングル材を縦横に組んで接合箇所を溶接して形成されていた。また、トレーを載せる縁部も、棚の骨組みの内側にＬ字状のアングル材が水平方向に位置するようにして溶接されて設けられていた。
【０００３】
また、特許文献１にあるように、枠体にパイプ状の桟が所定間隔で設けられた棚を有するものも提案されている。この場合、枠体は内側面に射面を有した断面台形状に形成され、この斜面に桟の両端部が各々溶接されている。枠体は、この棚が形成された収納ボックスの支柱や桁にボルトとナット等で固定されている。
【０００４】
【発明が解決しようとする課題】
上記従来の技術の前者の場合、トレーを載せる縁部や枠組み自体がアングル材を溶接して形成されているので、溶接箇所の角部内側にゴミや水分が溜まりやすく、細菌の繁殖場所になりやすいものであった。また、薬品や食品等の管理の厳しい場所で使用される場合、棚を洗浄しているが、溶接箇所の角部内側等は洗浄しにくく、また洗浄液が乾きにくいため再びその場所が細菌等の繁殖場所となる場合があった。
【０００５】
また上記従来の技術の後者の場合も、格子状の桟は、枠体の内側に設けられているが、桟の両端部は枠体に溶接され、その溶接箇所や枠体の溶接箇所も水分やゴミが溜まりやすいものである。
【０００６】
この発明は、上記従来の技術の問題点に鑑みてなされたもので、簡単な構成で洗浄が容易であり、ゴミが付着しにくく水分が溜まりにくい構造の収納棚とその製造方法を提供することを目的とする。
【０００７】
【課題を解決するための手段】
この発明は、ステンレス板等の一対の矩形の金属板を備え、各々一辺と平行に切り目が入れられ、この切り目の両端部から続いてその切り目に対して交差する方向であって両端部同方向に短い切り目が形成され、この切り目が上記金属板に所定間隔で互いに平行に複数形成され、この切り目で囲まれた上記金属板の部分をその板面に対して直角に内側に折り曲げて係止縁部が形成され、この折り曲げられた係止縁部を互いに対向させて所定の枠体に上記金属板が固定されてなる収納棚である。
【０００８】
さらに、上記金属板の上記切り目に対して直角の一対の側縁部は、各々上記係止縁部に対して反対側にコ字状に折り曲げられて支柱部を形成して成る。
【０００９】
またこの発明は、ステンレス板等の一対の矩形の金属板を、各々一辺と平行にレーザー加工機により切り目を入れ、この切り目の両端部から続いてその切り目に対して交差する方向であって両端部同方向に短い切り目を形成し、この切り目を所定間隔で互いに平行に複数形成し、この切り目で囲まれた上記金属板の部分をその板面に対して直角に内側に折り曲げて係止縁部を形成し、この折り曲げた係止縁部を互いに対向させて、所定の枠体上に上記一対の金属板を固定して棚部材を設ける収納棚の製造方法である。
【００１０】
さらに、上記金属板の上記切り目に対して直角の一対の側縁部を、各々上記係止縁部に対して反対側にコ字状に折り曲げて支柱部を形成するものである。上記切り目は、長手方向に所定の隙間を空けてスリットを形成するようにレーザー光を移動させ、上記短い切り目の箇所を往復動して形成するものである。
【００１１】
【発明の実施の形態】
以下、この発明の実施形態について、図面に基づいて説明する。図１〜図４はこの発明の一実施形態を示すもので、この実施形態の収納棚１０は、アングル材を四角形に組んで形成した枠体である下枠１２の一対の対向する２辺に、一対の板状の棚部材１４が固定されている。
【００１２】
棚部材１４は、適宜の大きさの矩形のステンレス板１６から成り、その一辺と平行に切り目１８が入れられて細長いスリット２０が互いに平行に複数形成されている。切り目１８の両端部は連続してその切り目２２に対して直角に交差する方向であって両端部同方向に短い切り目１８が形成されている。この切り目１８，２２で囲まれた金属板の部分をその板面に対して直角に内側に折り曲げられて係止縁部２４が形成されている。係止縁部２４は、ステンレス板１６の棚部材１４に所定間隔で互いに平行に複数形成されている。
【００１３】
さらに、棚部材１４は、ステンレス板１６の切り目１８に対して直角の一対の側縁部が、各々係止縁部２４に対して反対側にコ字状に折り曲げられて形成された支柱部２６を備えている。そして、一対の棚部材１４は、その係止縁部２４が互いに対向するように下枠１２に溶接されている。
【００１４】
一対の棚部材１４はその上端部及び適宜中間部で連結部材２８により互いに連結され、その間隔一定にしている。また、下枠１２の下面には４個のキャスタ３０が取り付けられ、移動自在としている。
【００１５】
この実施形態の収納棚１０の製造方法は、四角形のステンレス板１６の一辺と平行に、レーザー加工機により切り目１８を入れる。切り目１８は、図２に示すように、先ず、ステンレス板１６の一対の端縁部の一端部に一辺と平行に短い切り目２２を形成し、切り目２２と直角に切り目１８を形成し、他方の辺の近傍の端部で、一方の切り目２２と同じ方向に平行に他方の短い切り目２２を形成する。そして、その切り目２２に沿って戻り、切り目２２の途中で切り目１８と平行にさらにステンレス板１６を切断し、一方の切り目２２に繋ぐ。これにより切り目１８，２２で囲まれる部分が細長く除去されてスリット２０が形成される。
【００１６】
なお、スリット２０を形成するためのレーザー加工機によるレーザーの移動経路は、上記の他、適宜設定可能なものであり、図２に示すように切り目１８，２２及びスリット２０等を形成するものであればよい。
【００１７】
この動作を繰り返して、ステンレス板１６に所定間隔で複数の切り目１８，２２、スリット２０を形成する。この後、図２に示すように、ステンレス板１６の短い切り目２２同士の端部を繋ぐ折罫線３２で、プレス機械によりステンレス板１６の部分を板面に対して直角に内側に折り曲げて、係止縁部２４を形成する。
【００１８】
さらに、ステンレス板１６の切り目１８に対して直角の一対の辺の側縁部を、各々係止縁部２４に対して反対側にコ字状に折り曲げて支柱部２６を形成する。支柱部２６は、図２に示す折罫線３４，３６で、ステンレス板１６の側縁部をプレス機械でコ字状に折り曲げて形成する。
【００１９】
この後、一対の棚部材１４を、その係止縁部２４が互いに対向するように下枠１２に載せ、端部を溶接して固定する。さらに、一対の棚部材１４の上端部及び適宜中間部に、連結部材２８を掛け渡し端部を係止縁部２４の裏面等に溶接して、互いに連結し、間隔が一定に成るように固定する。そして、下枠１２の下面に、４個のキャスタ３０を取り付けて収納棚１０が完成する。
【００２０】
この実施形態の収納棚１０の使用方法は、図１，図４に示すように、互いに対向した係止縁部２４にトレー３８を載せて、適宜収納する。
【００２１】
この実施形態の収納棚１０によれば、収納棚１０の係止縁部２４や支柱部２６が一枚のステンレス板１６の一部を折り曲げて形成され、溶接部分が無く、折り曲げた部分はアールが付いた曲面であり、ゴミや水分が溜まりにくく、衛生的である。また洗浄も容易であり、乾燥も速いので、雑菌等の繁殖も無い。また、一対のステンレス板１６により棚部材１４が形成されるので、製造が容易でコストが安価であり、外観上も良好なものである。
【００２２】
なお、この発明に使用可能な金属板はステンレス以外の板でも良く、鉄やアルミ、アルミ合金等の板も使用可能である。また、係止縁部の形状は適宜設定可能であり、レーザー加工機で任意の係止縁部を形成し得るものである。また支柱部は、コ字状以外に、Ｌ字状やロ字状でも良く適宜設定可能なものでる。
【００２３】
【発明の効果】
この発明の収納棚は、金属板から棚の係止縁部を折り曲げて形成しているので、溶接箇所が少なく、ゴミや水分が溜まりにくく、衛生的であり、洗浄が容易で乾燥も速い。
【図面の簡単な説明】
【図１】この発明の一実施形態の収納棚の斜視図である。
【図２】この実施形態の収納棚の棚部材の折り曲げ前の正面図である。
【図３】この実施形態の収納棚の棚部材の上面図である。
【図４】この実施形態の収納棚の使用状態を示す部分縦断面図である。
【符号の説明】
１０  収納棚
１２  下枠
１４  棚部材
１６  ステンレス板
１８，２２  切り目
２０  スリット
２４  係止縁部
２６  支柱部
【図１】
2004194732.tif 000003
【図２】
2004194732.tif 000004
【図３】
2004194732.tif 000005
【図４】
2004194732.tif 000006